(57)【要約】【課題】駐車場の将来の需要に応じて駐車料金を柔軟に設定できる構成を得る。【解決手段】通信部１１は、車両の行先が記述される行先情報を取得する。情報抽出部１２は、通信部１１により取得された行先情報から、駐車場が行先として記述される駐車場行先情報を抽出する。料金算出部１４は、情報抽出部１２による駐車場行先情報の抽出件数に基づき駐車場の需要を予測し、駐車場の駐車料金を算出する。【選択図】図１
2016212587.tif 000002
【特許請求の範囲】
【請求項１】
車両の行先が記述される行先情報を取得する情報取得部と、
前記情報取得部により取得された行先情報から、駐車場が行先として記述される駐車場行先情報を抽出する情報抽出部と、
前記情報抽出部による前記駐車場行先情報の抽出件数に基づき前記駐車場の需要を予測し、前記駐車場の駐車料金を算出する料金算出部とを有する駐車料金算出装置。
【請求項２】
前記情報抽出部は、
前記情報取得部により取得された行先情報から、駐車場が併設されていない施設が行先として記述される施設行先情報を抽出し、
前記料金算出部は、
前記情報抽出部による前記施設行先情報の抽出件数に基づき前記施設の利用時に利用される駐車場の需要を予測し、前記施設の利用時に利用される駐車場の駐車料金を算出する請求項１に記載の駐車料金算出装置。
【請求項３】
前記情報取得部は、
前記車両の行先として前記車両の目的地又は経由地が記述される行先情報を取得する請求項１に記載の駐車料金算出装置。
【請求項４】
前記情報取得部は、
テレマティクスサーバ装置から前記行先情報を取得する請求項１に記載の駐車料金算出装置。
【請求項５】
コンピュータが、車両の行先が記述される行先情報を取得する情報取得ステップと、
前記コンピュータが、前記情報取得ステップにより取得された行先情報から、駐車場が行先として記述される駐車場行先情報を抽出する情報抽出ステップと、
前記コンピュータが、前記情報抽出ステップによる前記駐車場行先情報の抽出件数に基づき前記駐車場の需要を予測し、前記駐車場の駐車料金を算出する料金算出ステップとを有する駐車料金算出方法。
【請求項６】
車両の行先が記述される行先情報を取得する情報取得ステップと、
前記情報取得ステップにより取得された行先情報から、駐車場が行先として記述される駐車場行先情報を抽出する情報抽出ステップと、
前記情報抽出ステップによる前記駐車場行先情報の抽出件数に基づき前記駐車場の需要を予測し、前記駐車場の駐車料金を算出する料金算出ステップとをコンピュータに実行させる駐車料金算出プログラム。
【発明の詳細な説明】
【技術分野】
【０００１】
本発明は、駐車場の駐車料金を算出する技術に関する。
【背景技術】
【０００２】
従来の駐車料金の算出方法として、駐車場の実際の利用率、過去の履歴に基づく駐車場の利用率を用いて、駐車料金を算出する方法が開示されている（例えば、特許文献１）。
また、使用者からの予約情報、過去の利用履歴を基に将来の混雑具合を予測し、駐車料金を算出する方法が開示されている（例えば、特許文献２）。
その他、混雑具合により当該駐車場の需要を把握したり、周辺環境情報を加味し、料金を可変とするシステムも提案されている（例えば、特許文献３、特許文献４）。
【先行技術文献】
【特許文献】
【０００３】
【特許文献１】特開２００２−５６４２０号公報
【特許文献２】特開２００３−１８７２７８号公報
【特許文献３】特開２００２−２８８６９８号公報
【特許文献４】特開２０１３−２１８６４１号公報
【発明の概要】
【発明が解決しようとする課題】
【０００４】
従来の駐車料金の算出方法は、駐車場の利用率、過去の利用履歴、利用者からの予約情報に基づき駐車料金を算出する。
しかしながら、駐車場の利用率は現時点の駐車場の利用状況を示すのみであり、また、過去の利用履歴は過去の駐車場の利用状況を示すのみであり、これらは、駐車場の将来の需要を示すものではない。
また、予約情報は駐車場の将来の需要の予測に利用できるが、全ての駐車場利用者が予約を行うわけではないため、正確に駐車場の需要を予測することは困難である。
このように、従来の駐車料金の算出方法は、駐車場の将来の需要を精度よく予測することができないため、需要に応じた料金設定することが困難であるという課題がある。
【０００５】
本発明は、上記のようなな課題を解決することを主な目的としており、駐車場の将来の需要に応じて駐車料金を柔軟に設定できる構成を得ることを主な目的とする。
【課題を解決するための手段】
【０００６】
本発明に係る駐車料金算出装置は、
車両の行先が記述される行先情報を取得する情報取得部と、
前記情報取得部により取得された行先情報から、駐車場が行先として記述される駐車場行先情報を抽出する情報抽出部と、
前記情報抽出部による前記駐車場行先情報の抽出件数に基づき前記駐車場の需要を予測し、前記駐車場の駐車料金を算出する料金算出部とを有する。
【発明の効果】
【０００７】
本発明によれば、駐車場行先情報の抽出件数に基づいて駐車場の需要を精度よく予測することができ、需要に応じて駐車料金を柔軟に設定することができる。
【図面の簡単な説明】
【０００８】
【図１】実施の形態１に係る駐車料金算出装置を含むシステム構成例を示す図。
【図２】実施の形態１に係る駐車料金算出装置の動作例を示すフローチャート図。
【図３】実施の形態１に係る駐車料金算出装置の動作例を示すフローチャート図。
【図４】実施の形態１に係る料金算出ルールの例を示す図。
【図５】実施の形態１に係る駐車料金算出装置のハードウェア構成例を示す図。
【発明を実施するための形態】
【０００９】
実施の形態１．
＊＊＊構成の説明＊＊＊
図１は、本実施の形態に係る駐車料金算出装置１を含むシステム構成例を示す。
【００１０】
駐車料金算出装置１は、テレマティクスサーバ装置２及び駐車場関連情報提供サーバ装置３と接続されている。
テレマティクスサーバ装置２は、車両の行先（目的地又は経由地）が記述される行先情報を蓄積するサーバ装置である。
行先情報は、カーナビゲーションシステムやスマートフォン等の経路案内システムから入力された情報である。
テレマティクスサーバ装置２は、蓄積している行先情報を駐車料金算出装置１に送信する。
駐車場関連情報提供サーバ装置３は、駐車場に関する情報を駐車料金算出装置１に送信する。
駐車場関連情報提供サーバ装置３は、例えば、駐車場の現在の利用状況が記述される利用状況情報、各種施設に駐車場が併設されているか否かが記述される施設駐車場有無情報を、駐車料金算出装置１に送信する。
【００１１】
駐車料金算出装置１において、通信部１１は、テレマティクスサーバ装置２及び駐車場関連情報提供サーバ装置３と通信を行う。
より具体的には、テレマティクスサーバ装置２から行先情報を受信し、駐車場関連情報提供サーバ装置３から利用状況情報、施設駐車場有無情報を受信する。
通信部１１は、情報取得部の例に相当する。
【００１２】
情報抽出部１２は、通信部１１が受信した行先情報から、駐車場が行先として記述される駐車場行先情報を抽出する。
また、情報抽出部１２は、通信部１１が受信した行先情報から、駐車場が併設されていない施設が行先として記述される施設行先情報を抽出する。
【００１３】
駐車場有無確認部１３は、施設に駐車場が併設されているか否かを確認する。
【００１４】
料金算出部１４は、情報抽出部１２による駐車場行先情報の抽出件数に基づき駐車場の需要を予測し、駐車場の駐車料金を算出する。
また、情報抽出部１２により施設行先情報が抽出された場合に、料金算出部１４は、情報抽出部１２による施設行先情報の抽出件数に基づき施設の利用時に利用される駐車場の需要を予測し、施設の利用時に利用される駐車場の駐車料金を算出する。
【００１５】
＊＊＊動作の説明＊＊＊
次に、本実施の形態に係る駐車料金算出装置１の動作例を、図２及び図３のフローチャートを用いて説明する。
なお、図２及び図３に示すフローは、駐車料金算出方法及び駐車料金算出プログラムの処理手順の例に相当する。
【００１６】
通信部１１は、一定時間の待機時間が経過する度（ステップＳ１でＹＥＳ）に、テレマティクスサーバ装置２から行先情報を受信する（ステップＳ２）（情報取得ステップ）。
通信部１１は、受信した行先情報を情報抽出部１２に転送する。
【００１７】
次に、情報抽出部１２は、通信部１１から転送された行先情報を一時記憶領域に格納し、行先情報ごとに、行先情報に示される車両の行先（目的地・経由地）が駐車場であるか否かを確認する（ステップＳ３）（情報抽出ステップ）。
車両の行先として駐車場が記述されている行先情報を駐車場行先情報という。
そして、ステップＳ３での確認の結果、車両の行先（目的地・経由地）が駐車場である場合、つまり、駐車場行先情報である場合は、情報抽出部１２は、該当する駐車場の利用予定情報を更新する（ステップＳ４）。
駐車場の利用予定情報は、例えば、駐車場行先情報の抽出数の情報である。
情報抽出部１２は、駐車場行先情報を抽出する度に、対象の駐車場について駐車場行先情報の抽出数をインクリメントしていく。
【００１８】
また、ステップＳ３での確認の結果、車両の行先（目的地・経由地）が駐車場でない場合は、情報抽出部１２は、車両の行先が施設であるか確認する（ステップＳ５）。
施設とは、不特定多数（２人以上）が利用可能な場所である。
例えば、ショッピングセンター、テーマパーク、鉄道の駅、映画館、美術館、博物館、ホール、競技場、体育館、図書館、店舗、工場、プラント、ビル、役所、学校、病院、公園、広場である。
また、建物が存在する場所だけでなく、広場のように建物が存在しない場所も施設に該当するが、個人の住宅は施設に該当しない。
ステップＳ５にて、車両の行先が施設でない場合は、情報抽出部１２は、次の行先情報に対してステップＳ３以降の処理を行う。
【００１９】
ステップＳ５にて、車両の行先が施設である場合は、駐車場有無確認部１３が、当該施設の駐車場の有無を確認する（ステップＳ６）。
具体的には、情報抽出部１２が行先情報に記述されている施設の識別子を駐車場有無確認部１３に通知し、駐車場有無確認部１３は、通信部１１を介して駐車場関連情報提供サーバ装置３に当該施設の識別子を通知して、当該施設に駐車場が併設されているか否かを問い合わせる。
駐車場関連情報提供サーバ装置３は、駐車場有無確認部１３からの問合せに対して、当該施設に駐車場が併設されているか否かを確認するとともに、当該施設に駐車場が併設されていない場合は、当該施設付近の駐車場を検索する。
そして、駐車場関連情報提供サーバ装置３は、施設に駐車場が併設されているか否かを通知する施設駐車場有無情報を、駐車料金算出装置１に送信する。
また、駐車場関連情報提供サーバ装置３は、施設に駐車場が併設されていない場合は、施設付近の駐車場を通知する付近駐車場情報を、駐車料金算出装置１に送信する。
施設付近の駐車場は、施設利用時に利用されると想定される。
そして、駐車場有無確認部１３は、通信部１１を介して駐車場関連情報提供サーバ装置３から施設駐車場有無情報を受信し、施設駐車場有無情報に示されている内容（駐車場の有無）を情報抽出部１２に通知する。
また、駐車場有無確認部１３は、通信部１１を介して駐車場関連情報提供サーバ装置３から付近駐車場情報を受信した場合は、付近駐車場情報に示される施設付近の駐車場を情報抽出部１２に通知する。
【００２０】
当該施設に駐車場が併設されている場合は、情報抽出部１２は、次の行先情報に対してステップ３以降の処理を行う（ステップＳ７）。
ステップＳ７にて、当該施設に駐車場が併設されていない場合は、当該施設付近の駐車場の利用予定情報を更新する（ステップＳ８）。
施設付近の駐車場は、駐車場有無確認部１３から通知された駐車場である。
駐車場が併設されていない施設が行先として記述される行先情報を施設行先情報という。
施設付近の駐車場の利用予定情報は、例えば、施設行先情報の抽出数の情報である。
情報抽出部１２は、ステップＳ７がＮＯとなる度、すなわち、施設行先情報を抽出する度に、施設付近の駐車場について施設行先情報の抽出数をインクリメントしていく。
【００２１】
情報抽出部１２が、以上のステップＳ３からステップＳ８までの動作を、行先情報数分繰り返した後、料金算出部１４が図３に示す動作を行う。
料金算出部１４は、管理対象の駐車場ごとに、ステップＳ９以降の処理を行う。
【００２２】
具体的には、料金算出部１４は、ステップＳ４、ステップＳ８で更新された利用予定情報を用いて駐車場の近い将来の需要を予測し、当該駐車場の駐車料金を算出する（ステップＳ９）（料金算出ステップ）。
例えば、料金算出部１４は、対象の駐車場の収容台数、現在の駐車台数、過去ｎ（ｎ≧１）分間での駐車場への流入台数、過去ｎ分間での駐車場からの流出台数等が記述される利用状況情報を、通信部１１を介して駐車場関連情報提供サーバ装置３から取得し、利用状況情報に記述されるパラメータと、利用予定情報とを用いて、駐車場の近い将来の需要を予測する。
流入台数及び流出台数の単位時間であるｎ分は、図２のステップＳ１の待機時間と同じ時間である。
より具体的には、料金算出部１４は、以下にて、駐車場の将来の駐車場の利用率を算出する。
利用率＝（現在の駐車台数＋流入台数＋利用予定情報の値−流出台数）／収容台数
そして、料金算出部１４は、算出した利用率に基づいて、駐車場の駐車料金を算出する。
例えば、料金算出部１４は、図４に示す料金算出ルールと、算出した利用率とを照合して、駐車料金を算出する。
図４の料金算出ルールは、利用率が５０％未満であれば、駐車料金を基本料金の５０％の料金とし、利用率が５０％〜６９％であれば、駐車料金を基本料金とし、利用率が７０％〜８９％であれば、駐車料金を基本料金の１２０％の料金とし、利用率が９０％以上であれば、駐車料金を基本料金の１５０％の料金とするという料金算出ルールである。
なお、料金算出部１４の料金算出方法は、上記の方法に限らない。
既存の料金算出方法のパラメータに、ステップＳ４又はステップＳ８で得られた利用予定情報の値を追加するようにしてもよい。
【００２３】
次に、料金算出部１４は、ステップＳ８で算出された駐車料金が現在の駐車料金と同じであるか否か、すなわち、駐車料金を変更するか否かを判定する（ステップＳ９）。
ステップＳ９にて駐車料金を変更しない場合は、料金算出部１４は、次に駐車場についてステップＳ８の処理を行う。
ステップＳ９にて駐車料金を変更する場合は、料金算出部１４は、変更後の駐車料金を通知する（ステップＳ１０）。
例えば、料金算出部１４は、図示していない表示装置に変更後の料金を表示させて、駐車料金算出装置１のオペレータに変更後の料金を通知する。
または、料金算出部１４は、通信部１１を介して、駐車場の料金を管理する管理会社のコンピュータに変更後の料金を通知するメッセージを送信するようにしてもよい。
【００２４】
＊＊＊実施の形態の効果の説明＊＊＊
以上、本実施の形態によれば、駐車場行先情報及び施設行先情報の抽出件数に基づいて駐車場の需要を精度よく予測することができ、需要に応じて駐車料金を柔軟に設定することができる。
【００２５】
なお、この実施の形態１では、ステップＳ７における駐車場有無判定にて、駐車場なしの場合、ステップＳ８にて直ちに付近の駐車場の利用予定情報を更新するようにしているが、情報抽出部１２は、当該駐車場付近の周囲の駐車場の満空状況も考慮して利用予定情報を更新するようにしてもよい。
また、この実施の形態１では、通信により各種情報を取得するようにしているが、駐車料金算出装置１自体が全ての情報を管理し、通信を介さずに処理するようにしてもよい。
つまり、駐車料金算出装置１が、テレマティクスサーバ装置２と駐車場関連情報提供サーバ装置３の機能を備えるようにしてもよい。
また、この実施の形態１では、ステップＳ１において、一定時間経過の度に処理を開始するようにしているが、駐車場管理者の操作等、他の要因により処理を開始するようにしてもよい。
【００２６】
＊＊＊ハードウェア構成の説明＊＊＊
最後に、駐車料金算出装置１のハードウェア構成例を図５を参照して説明する。
駐車料金算出装置１はコンピュータである。
駐車料金算出装置１は、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、入力装置９０７に接続されている。
ディスプレイインタフェース９０６は、ディスプレイ９０８に接続されている。
【００２７】
プロセッサ９０１は、プロセッシングを行うＩＣ（Ｉｎｔｅｇｒａｔｅｄ  Ｃｉｒｃｕｉｔ）である。
プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９０４１及びデータを送信するトランスミッター９０４２を含む。
通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。
入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。
ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００２８】
補助記憶装置９０２には、図１に示す通信部１１、情報抽出部１２、駐車場有無確認部１３、料金算出部１４（以下、通信部１１、情報抽出部１２、駐車場有無確認部１３、料金算出部１４をまとめて「部」と表記する）の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「部」の機能を実現するプログラムを実行する。
図５では、１つのプロセッサ９０１が図示されているが、駐車料金算出装置１が複数のプロセッサ９０１を備えていてもよい。
そして、複数のプロセッサ９０１が「部」の機能を実現するプログラムを連携して実行してもよい。
また、「部」の処理の結果を示す情報やデータや信号値や変数値が、メモリ９０３、補助記憶装置９０２、又は、プロセッサ９０１内のレジスタ又はキャッシュメモリに記憶される。
【００２９】
また、「部」を「回路」又は「工程」又は「手順」又は「処理」に読み替えてもよい。
「回路」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００３０】
１  駐車料金算出装置、２  テレマティクスサーバ装置、３  駐車場関連情報提供サーバ装置、１１  通信部、１２  情報抽出部、１３  駐車場有無確認部、１４  料金算出部。
【図１】
2016212587.tif 000003
【図２】
2016212587.tif 000004
【図３】
2016212587.tif 000005
【図４】
2016212587.tif 000006
【図５】
2016212587.tif 000007